(57)【要約】【課題】複数のスピーカーをマルチチャンネルの音声データのいずれかを再生するスピーカーとしてアサインすることを可能とすること。【解決手段】聴取位置算出部２２は、複数のスピーカーＳの位置に基づいて、複数のスピーカーＳによって形成される多角形の重心を聴取位置として算出する。決定部２３は、聴取位置算出部２２が算出した聴取位置を含む平面を、聴取位置を中心に９０度ごとに第１象限Ｑ１、第２象限Ｑ２、第３象限Ｑ３、第４象限Ｑ４に分割し、スピーカーＳが含まれる象限Ｑに応じて、スピーカーＳに送信する音声データを決定する。【選択図】図７
2015122612.tif 000002
【特許請求の範囲】
【請求項１】
４つ以上の複数のスピーカーをマルチチャンネルの音声データのいずれかを再生するスピーカーとしてアサインするスピーカーアサイン装置であって、
前記複数のスピーカーの位置に基づいて、前記複数のスピーカーによって形成される多角形の重心を聴取位置として算出する聴取位置算出部と、
前記聴取位置算出部が算出した前記聴取位置を含む平面を、前記聴取位置を中心に９０度ごとに第１象限、第２象限、第３象限、第４象限に分割し、前記スピーカーが含まれる象限に応じて、前記スピーカーに送信する前記音声データを決定する決定部と、
を備えることを特徴とするスピーカーアサイン装置。
【請求項２】
前記決定部は、１つの前記象限に前記スピーカーが複数含まれている場合、前記聴取位置と前記スピーカーとを結ぶ線分と、前記象限を分割する座標軸と、の角度に応じて、前記スピーカーに送信する前記音声データを決定することを特徴とする請求項１に記載のスピーカーアサイン装置。
【請求項３】
１つの前記象限に含まれる前記スピーカーに送信する前記音声データの優先度を記憶する記憶部をさらに備え、
前記決定部は、１つの前記象限に前記スピーカーが複数含まれている場合、前記角度と前記記憶部が記憶する前記優先度とに基づいて、前記スピーカーに送信する前記音声データを決定することを特徴とする請求項２に記載のスピーカーアサイン装置。
【請求項４】
自装置と前記複数のスピーカーそれぞれとの距離である第１距離を算出する距離算出部をさらに備え、
前記決定部は、前記距離算出部が算出した前記第１距離の数と等しい前記複数のスピーカーの個数に応じた前記マルチチャンネルの音声データを前記スピーカーに送信することを決定することを特徴とする請求項１〜３のいずれか１項に記載のスピーカーアサイン装置。
【請求項５】
前記複数のスピーカーは、所定位置に配置された第１スピーカーと第２スピーカーとを含み、
前記距離算出部は、前記第１スピーカーと、前記第１スピーカー及び前記第２スピーカーを除く前記複数のスピーカーそれぞれと、の距離である第２距離を算出し、且つ、前記第２スピーカーと、前記第１スピーカー及び前記第２スピーカーを除く前記複数のスピーカーそれぞれと、の距離である第３距離を算出し、
前記聴取位置算出部は、
前記第１スピーカー及び前記第２スピーカーの位置と、前記距離算出部が算出した前記第１距離と、に基づいて、自装置の位置を算出し、
算出した自装置の位置と、前記第１スピーカー及び前記第２スピーカーの位置と、前記第１距離と、前記第２距離と、前記第３距離と、に基づいて、前記第１スピーカー及び前記第２スピーカーを除く前記複数のスピーカーそれぞれの位置を算出し、
算出した前記第１スピーカー及び前記第２スピーカーを除く前記複数のスピーカーそれぞれの位置を含む前記複数のスピーカーの位置に基づいて、前記聴取位置を算出することを特徴とする請求項１〜４のいずれか１項に記載のスピーカーアサイン装置。
【請求項６】
４つ以上の複数のスピーカーをマルチチャンネルの音声データのいずれかを再生するスピーカーとしてアサインするスピーカーアサイン方法であって、
前記複数のスピーカーの位置に基づいて、前記複数のスピーカーによって形成される多角形の重心を聴取位置として算出する聴取位置算出ステップと、
前記聴取位置算出部が算出した前記聴取位置を含む平面を、前記聴取位置を中心に９０度ごとに第１象限、第２象限、第３象限、第４象限に分割し、前記スピーカーが含まれる象限に応じて、前記スピーカーに送信する前記音声データを決定する決定ステップと、
を備えることを特徴とするスピーカーアサイン方法。
【請求項７】
コンピュータを、４つ以上の複数のスピーカーをマルチチャンネルの音声データのいずれかを再生するスピーカーとしてアサインするスピーカーアサイン装置として機能させるスピーカーアサインプログラムであって、
前記コンピュータを、
前記複数のスピーカーの位置に基づいて、前記複数のスピーカーによって形成される多角形の重心を聴取位置として算出する聴取位置算出部と、
前記聴取位置算出部が算出した前記聴取位置を含む平面を、前記聴取位置を中心に９０度ごとに第１象限、第２象限、第３象限、第４象限に分割し、前記スピーカーが含まれる象限に応じて、前記スピーカーに送信する前記音声データを決定する決定部と、
として機能させることを特徴とするスピーカーアサインプログラム。
【発明の詳細な説明】
【技術分野】
【０００１】
本発明は、複数のスピーカーをマルチチャンネルの音声データのいずれかを再生するスピーカーとしてアサインするスピーカーアサイン装置、スピーカーアサイン方法、及びスピーカーアサインプログラムに関する。
【背景技術】
【０００２】
ＡＶレシーバーに複数のスピーカーが有線で接続され、複数のスピーカーからマルチチャンネルの音声データが再生される。例えば、５．１チャンネルの音声データの場合、フロントレフト音声データ、フロントライト音声データ、フロントセンター音声データ、サブウーファー音声データ、サラウンドレフト音声データ、サラウンドライト音声データを含んでいる。そして、各スピーカーは、これらの音声データを再生することで、フロントレフトスピーカー、フロントライトスピーカー、フロントセンタースピーカー、サブウーファースピーカー、サラウンドレフトスピーカー、サラウンドライトスピーカーとして機能する。ユーザーは、例えば、リビング等に複数のスピーカーを図１３に示すように配置する。ＡＶレシーバーとスピーカーとが有線で接続される場合、ユーザーは、複数のスピーカーに対応する音声データ（例えば、フロントライトスピーカーであれば、フロントライト音声データ）が正しくそのスピーカーから再生されるように、ＡＶレシーバーの端子に正しくスピーカーを接続する必要がある。
【０００３】
特許文献１には、ＡＶレシーバーと複数のスピーカーとが無線で接続され、ＡＶレシーバーから送信されたマルチチャンネルの音声データを複数のスピーカーで再生する発明が開示されている。特許文献１に開示の発明によれば、ユーザーは、ＡＶレシーバーとスピーカーとをケーブルで接続する必要がない。
【先行技術文献】
【特許文献】
【０００４】
【特許文献１】特表２０１２−５３１０６４号公報
【発明の概要】
【発明が解決しようとする課題】
【０００５】
ＡＶレシーバーと複数のスピーカーとが無線で接続される場合、ＡＶレシーバーは、複数のスピーカーをマルチチャンネルの音声データのいずれかを再生するスピーカーとしてアサインする必要がある。すなわち、ＡＶレシーバーは、それぞれのスピーカーを、サラウンドレフト音声データを再生するサラウンドレフトスピーカー等としてアサインする必要がある。
【０００６】
本発明の目的は、複数のスピーカーをマルチチャンネルの音声データのいずれかを再生するスピーカーとしてアサインすることを可能とすることである。
【課題を解決するための手段】
【０００７】
第１の発明のスピーカーアサイン装置は、４つ以上の複数のスピーカーをマルチチャンネルの音声データのいずれかを再生するスピーカーとしてアサインするスピーカーアサイン装置であって、前記複数のスピーカーの位置に基づいて、前記複数のスピーカーによって形成される多角形の重心を聴取位置として算出する聴取位置算出部と、前記聴取位置算出部が算出した前記聴取位置を含む平面を、前記聴取位置を中心に９０度ごとに第１象限、第２象限、第３象限、第４象限に分割し、前記スピーカーが含まれる象限に応じて、前記スピーカーに送信する前記音声データを決定する決定部と、を備えることを特徴とする。
【０００８】
本発明では、聴取位置を含む平面を、聴取位置を中心に９０度ごとに第１象限、第２象限、第３象限、第４象限に分割し、スピーカーが含まれる象限に応じて、スピーカーに送信する音声データを決定する。例えば、スピーカーが４つであり、それぞれのスピーカーが各象限に含まれている場合、第１象限に含まれているスピーカーに送信する音声データを、サラウンドレフト音声データに決定する。また、第２象限に含まれているスピーカーに送信する音声データを、サラウンドライト音声データに決定する。また、第３象限に含まれているスピーカーに送信する音声データを、フロントライト音声データに決定する。また、第４象限に含まれているスピーカーに送信する音声データを、フロントレフト音声データに決定する。このようにして、本発明によれば、複数のスピーカーをマルチチャンネルの音声データのいずれかを再生するスピーカーとしてアサインすることができる。
【０００９】
第２の発明のスピーカーアサイン装置は、第１の発明のスピーカーアサイン装置において、前記決定部は、１つの前記象限に前記スピーカーが複数含まれている場合、前記聴取位置と前記スピーカーとを結ぶ線分と、前記象限を分割する座標軸と、の角度に応じて、前記スピーカーに送信する前記音声データを決定することを特徴とする。
【００１０】
本発明では、１つの象限にスピーカーが複数含まれている場合、聴取位置とスピーカーとを結ぶ線分と、象限を分割する座標軸と、の角度に応じて、スピーカーに送信する音声データを決定する。例えば、スピーカーが４つであり、第１象限に２つのスピーカーが含まれているとする。この場合、聴取位置とスピーカーとを結ぶ線分と、象限を分割するｘ座標軸と、の角度が小さい方のスピーカーに送信する音声データを、サラウンドレフト音声データに決定する。また、前記角度が大きい方のスピーカーに送信する音声データを、サラウンドライト音声データに決定する。このようにして、本発明によれば、１つの象限にスピーカーが複数含まれていても、複数のスピーカーをマルチチャンネルの音声データのいずれかを再生するスピーカーとしてアサインすることができる。
【００１１】
第３の発明のスピーカーアサイン装置は、第２の発明のスピーカーアサイン装置において、１つの前記象限に含まれる前記スピーカーに送信する前記音声データの優先度を記憶する記憶部をさらに備え、前記決定部は、１つの前記象限に前記スピーカーが複数含まれている場合、前記角度と前記記憶部が記憶する前記優先度とに基づいて、前記スピーカーに送信する前記音声データを決定することを特徴とする。
【００１２】
本発明では、１つの象限にスピーカーが複数含まれている場合、聴取位置とスピーカーとを結ぶ線分と、象限を分割する座標軸と、の角度と、象限に含まれるスピーカーに送信する音声データの優先度と、に基づいて、スピーカーに送信する音声データを決定する。例えば、スピーカーが４つであり、第１象限に２つのスピーカーが含まれているとする。この場合、聴取位置とスピーカーとを結ぶ線分と、象限を分割するｘ座標軸と、の角度が小さい方のスピーカーに送信する音声データとして、サラウンドライト音声データの優先度よりもサラウンドレフト音声データの優先度を高く設定する。そうすると、前記角度が小さい方のスピーカーに送信する音声データがサラウンドレフト音声データに決定される。また、前記角度が大きい方のスピーカーに送信する音声データがサラウンドライト音声データに決定される。このようにして、本発明によれば、１つの象限にスピーカーが複数含まれていても、複数のスピーカーをマルチチャンネルの音声データのいずれかを再生するスピーカーとしてアサインすることができる。
【００１３】
第４の発明のスピーカーアサイン装置は、第１〜第３の発明のいずれかのスピーカーアサイン装置において、自装置と前記複数のスピーカーそれぞれとの距離である第１距離を算出する距離算出部をさらに備え、前記決定部は、前記距離算出部が算出した前記第１距離の数と等しい前記複数のスピーカーの個数に応じた前記マルチチャンネルの音声データを前記スピーカーに送信することを決定することを特徴とする。
【００１４】
本発明では、算出した自装置と複数のスピーカーそれぞれとの距離の数と等しい複数のスピーカーの個数に応じたマルチチャンネルの音声データをスピーカーに送信することを決定する。例えば、前記距離の数と等しいスピーカーの個数が６個であれば、５．１チャンネルの音声データをスピーカーに送信することを決定する。このようにして、本発明によれば、スピーカーに送信するマルチチャンネルの音声データのチャンネル数を決定し、複数のスピーカーをマルチチャンネルの音声データのいずれかを再生するスピーカーとしてアサインすることができる。
【００１５】
第５の発明のスピーカーアサイン装置は、第１〜第４の発明のいずれかのスピーカーアサイン装置において、前記複数のスピーカーは、所定位置に配置された第１スピーカーと第２スピーカーとを含み、前記距離算出部は、前記第１スピーカーと、前記第１スピーカー及び前記第２スピーカーを除く前記複数のスピーカーそれぞれと、の距離である第２距離を算出し、且つ、前記第２スピーカーと、前記第１スピーカー及び前記第２スピーカーを除く前記複数のスピーカーそれぞれと、の距離である第３距離を算出し、前記聴取位置算出部は、前記第１スピーカー及び前記第２スピーカーの位置と、前記距離算出部が算出した前記第１距離と、に基づいて、自装置の位置を算出し、算出した自装置の位置と、前記第１スピーカー及び前記第２スピーカーの位置と、前記第１距離と、前記第２距離と、前記第３距離と、に基づいて、前記第１スピーカー及び前記第２スピーカーを除く前記複数のスピーカーそれぞれの位置を算出し、算出した前記第１スピーカー及び前記第２スピーカーを除く前記複数のスピーカーそれぞれの位置を含む前記複数のスピーカーの位置に基づいて、前記聴取位置を算出することを特徴とする。
【００１６】
本発明では、スピーカー間の距離等を算出し、算出したスピーカー間の距離等から、第１スピーカー及び第２スピーカーを除く複数のスピーカーそれぞれの位置を算出する。従って、第１スピーカー及び第２スピーカーを除く複数のスピーカーについては、装置が位置を把握していなくても、位置を算出し、それらに基づいて、聴取位置を算出することができる。
【００１７】
第６の発明のスピーカーアサイン方法は、４つ以上の複数のスピーカーをマルチチャンネルの音声データのいずれかを再生するスピーカーとしてアサインするスピーカーアサイン方法であって、前記複数のスピーカーの位置に基づいて、前記複数のスピーカーによって形成される多角形の重心を聴取位置として算出する聴取位置算出ステップと、前記聴取位置算出部が算出した前記聴取位置を含む平面を、前記聴取位置を中心に９０度ごとに第１象限、第２象限、第３象限、第４象限に分割し、前記スピーカーが含まれる象限に応じて、前記スピーカーに送信する前記音声データを決定する決定ステップと、を備えることを特徴とする。
【００１８】
第７の発明のスピーカーアサインプログラムは、コンピュータを、４つ以上の複数のスピーカーをマルチチャンネルの音声データのいずれかを再生するスピーカーとしてアサインするスピーカーアサイン装置として機能させるスピーカーアサインプログラムであって、前記コンピュータを、前記複数のスピーカーの位置に基づいて、前記複数のスピーカーによって形成される多角形の重心を聴取位置として算出する聴取位置算出部と、前記聴取位置算出部が算出した前記聴取位置を含む平面を、前記聴取位置を中心に９０度ごとに第１象限、第２象限、第３象限、第４象限に分割し、前記スピーカーが含まれる象限に応じて、前記スピーカーに送信する前記音声データを決定する決定部と、として機能させることを特徴とする。
【発明の効果】
【００１９】
本発明によれば、複数のスピーカーをマルチチャンネルの音声データのいずれかを再生するスピーカーとしてアサインすることが可能である。
【図面の簡単な説明】
【００２０】
【図１】本発明の実施形態に係るＡＶレシーバーの構成を示すブロック図である。
【図２】スピーカー間の距離を記憶するテーブルの一例を示す図である。
【図３】ＡＶレシーバーの位置を算出する処理を説明するための図である。
【図４】フロントセンタースピーカーの位置を算出する処理を説明するための図である。
【図５】ｘｙ座標上にマッピングされた６つのスピーカーを示す図である。
【図６】聴取位置をｘｙ座標の中心として再マッピングされた６つのスピーカーを示す図である。
【図７】聴取位置とスピーカーとを結ぶ線分と、象限を分割するｘ座標軸と、の角度を算出する処理を説明するための図である。
【図８】チャンネル数とチャンネル数に対応するスピーカーとの情報を対応付けて記憶するテーブルの一例を示す図である。
【図９】各象限に含まれるスピーカーに送信する音声データの優先度を記憶するテーブルの一例を示す図である。
【図１０】送信する音声データを決定するスピーカーの順序を示す図である。
【図１１】２つのスピーカーが同一象限内に含まれる例を示す図である。
【図１２】決定部によるスピーカーに送信する音声データを決定する処理を示すフローチャートである。
【図１３】スピーカーの配置例を示す図である。
【発明を実施するための形態】
【００２１】
以下、本発明の実施形態について説明する。図１は、本実施形態に係るＡＶレシーバーの構成を示すブロック図である。ＡＶレシーバー１は、記憶部３に記憶されているスピーカーアサインプログラム３１が実行されることにより、複数のスピーカーＳをマルチチャンネルの音声データのいずれかを再生するスピーカーＳとしてアサインするスピーカーアサイン装置として機能する。図１に示すように、ＡＶレシーバー１は、ＢＤ（Blu-ray（登録商標） Disc）プレーヤー１００と有線接続されている。また、ＡＶレシーバー１は、６つのスピーカーＳと無線接続されている。ＡＶレシーバー１は、ＢＤプレーヤー１００から入力されるマルチチャンネルの音声データを６つのスピーカーＳに送信する。６つのスピーカーＳは、ＡＶレシーバー１から受信した音声データに基づいて音声を出力する。なお、ＡＶレシーバー１には、ＢＤプレーヤー１００から映像データも入力される。そして、ＡＶレシーバー１は、その映像データを図示しないディスプレイ装置に出力することも可能であるが、説明の簡単のため、映像データの出力については説明を省略する。ＡＶレシーバー１は、制御部２、記憶部３、表示部４、操作部５、ＤＳＰ（Digital Signal Processor）６、通信部７、マイク８を備える。
【００２２】
制御部２は、記憶部３に記憶されたプログラムに従って、ＡＶレシーバー１を構成する各部を制御する。また、制御部２は、記憶部３に記憶されたスピーカーアサインプログラム３１に従って、距離算出部２１、聴取位置算出部２２、決定部２３として機能する。
【００２３】
記憶部３は、制御部２の主メモリとして機能するＲＡＭ（Random Access Memory）、スピーカーアサインプログラム３１を含むプログラムを記憶するＲＯＭ（Read Only Memory）から構成されている。なお、記憶部３は、例示する構成に限られず、フラッシュメモリやＨＤＤ（Hard Disk Drive）等を含んでいてもよい。表示部４は、設定画面等を表示するものであり、ＬＣＤ（液晶ディスプレイ）や蛍光表示管等である。操作部５は、ユーザー操作を受け付けるためのものであり、ＡＶレシーバー１の筐体に設けられた操作ボタンやリモートコントローラである。
【００２４】
ＤＳＰ６は、ＢＤプレーヤー１００から入力されたマルチチャンネルの音声データをデコードし、音場処理等を実行する。マルチチャンネルの音声データは、例えば、５．１チャンネルの音声データであり、フロントレフト音声データ、フロントライト音声データ、フロントセンター音声データ、サブウーファー音声データ、サラウンドレフト音声データ、サラウンドライト音声データを含んでいる。
【００２５】
通信部７は、無線ＬＡＮを介して、スピーカーＳを含む外部の機器と通信を行うためのネットワークインターフェースである。制御部２は、この通信部７を介して、マルチチャンネルの音声データをスピーカーＳに送信する。具体的には、制御部２は、フロントレフト音声データをフロントレフトスピーカーＳＦＬ、フロントライト音声データをフロントライトスピーカーＳＦＲ、フロントセンター音声データをフロントセンタースピーカーＳＦＣ、サブウーファー音声データをサブウーファースピーカーＳＳＷ、サラウンドレフト音声データをサラウンドレフトスピーカーＳＳＬ、サラウンドライト音声データをサラウンドライトスピーカーＳＳＲに送信する。スピーカーＳに送信する音声データを決定する処理については後述する。マイク８は、スピーカーＳから発せられる音声を受音する。制御部２は、マイク８を用いて、ＡＶレシーバー１とスピーカーＳとの距離を算出する。
【００２６】
スピーカーＳは、ＡＶレシーバー１から送信される音声データを再生する。また、スピーカーＳは、図示しないマイクを備えている。
【００２７】
サブウーファースピーカーＳＳＷを除く５つのスピーカーＳは、同じ機能を有しており、どのスピーカーＳであっても、フロントレフトスピーカーＳＦＬ等として機能する。このため、ＡＶレシーバー１は、図１のように配置された５つのスピーカーＳを、それぞれ、フロントレフトスピーカーＳＦＬ、フロントライトスピーカーＳＦＲ、フロントセンタースピーカーＳＦＣ、サラウンドレフトスピーカーＳＳＬ、サラウンドライトスピーカーＳＳＲにアサイン（割り当て）し、それぞれのスピーカーＳに対応する音声データを送信することにより、それぞれのスピーカーＳをフロントレフトスピーカーＳＦＬ等として機能させる。このため、ユーザーは、どのスピーカーＳをどの位置に配置するかを気にすることなく、５つのスピーカーＳを図１に示すように配置すればよい。以下、制御部２（距離算出部２１、聴取位置算出部２２、決定部２３）がスピーカーＳをフロントレフトスピーカーＳＦＬ等にアサインする手順について説明する。なお、フロントレフトスピーカーＳＦＬ（第１スピーカー）とフロントライトスピーカーＳＦＲ（第２スピーカー）とに限り、ＡＶレシーバー１に対して、所定位置に配置するように、例えば、取扱説明書等に記載されており、フロントレフトスピーカーＳＦＬ及びフロントライトスピーカーＳＦＲは、所定位置に配置されているものとする。また、ＡＶレシーバー１の記憶部３には、フロントレフトスピーカーＳＦＬ及びフロントライトスピーカーＳＦＲの位置、フロントレフトスピーカーＳＦＬとフロントライトスピーカーとの距離、これらのスピーカーＳがそれぞれフロントレフトスピーカーＳＦＬとフロントライトスピーカーＳＦＲであることが記憶されているとする。
【００２８】
（距離算出部２１）
まず、距離算出部２１による処理について説明する。距離算出部２１は、ＡＶレシーバー１とスピーカーＳとの距離、２つのスピーカーＳ間の距離を算出する。例えば、距離算出部２１は、ＡＶレシーバー１とフロントレフトスピーカーＳＦＬとの距離を計測する場合、フロントレフトスピーカーＳＦＬに音声データを送信する。マイク８は、フロントレフトスピーカーＳＦＬが出力した音声を受音する。距離算出部２は、マイク８が音声を受音した時間から、フロントレフトスピーカーＳＦＬから出力された音声のＡＶレシーバー１までの到達時間を算出する。そして、距離算出部２１は、フロントレフトスピーカーＳＦＬから出力された音声のＡＶレシーバー１までの到達時間に基づいて、フロントレフトスピーカーＳＦＬからＡＶレシーバー１までの距離を算出する。同様にして、例えば、距離算出部２１は、フロントレフトスピーカーＳＦＬから出力された音声のフロントセンタースピーカーＳＦＣまでの到達時間に基づいて、フロントレフトスピーカーＳＦＬからフロントセンタースピーカーＳＦＣまでの距離を算出する。なお、スピーカーＳは、マイクで音声を受信したことをＡＶレシーバー１に通知するため、距離算出部２１は、２つのスピーカーＳでの音声の到達時間を算出することができる。また、音声の到達時間に基づいて距離を算出することは、従来技術であるため、詳細な説明は省略する。
【００２９】
このようにして、距離算出部２１は、ＡＶレシーバー１と６つのスピーカーＳとの距離（第１距離）を算出する。また、距離算出部２１は、フロントレフトスピーカーＳＦＬと、フロントレフトスピーカーＳＦＬ及びフロントライトスピーカーＳＦＲを除く、フロントセンタースピーカーＳＦＣ、サラウンドレフトスピーカーＳＳＬ、サラウンドライトスピーカーＳＳＲ、サブウーファースピーカーＳＳＷとの距離（第２距離）を算出する。また、距離算出部２１は、フロントライトスピーカーＳＦＲと、フロントレフトスピーカーＳＦＬ及びフロントライトスピーカーＳＦＲを除く、フロントセンタースピーカーＳＦＣ、サラウンドレフトスピーカーＳＳＬ、サラウンドライトスピーカーＳＳＲ、サブウーファースピーカーＳＳＷとの距離（第３距離）を算出する。距離算出部２１は、図２に示すように、算出したＡＶレシーバー１とスピーカーＳとの距離、２つのスピーカーＳ間の距離を記憶部３に記憶する。
【００３０】
ここで、ＡＶレシーバー１とスピーカーＳとの距離の算出結果から、決定部２３は、６つのスピーカーＳがあることを判断することができる。そして、６つのスピーカーＳであるため、決定部２３は、５．１チャンネルスピーカーシステムを構成するスピーカーＳであることを判断することができる（図８参照）。すなわち、決定部２３は、距離算出部２１が算出した距離の数（６個）と等しい複数のスピーカーＳの個数（６個）に応じた５．１チャンネルの音声データをスピーカーＳに送信することを決定する。
【００３１】
（聴取位置算出部２２）
次に、聴取位置算出部２２による処理について説明する。聴取位置算出部２２は、サブウーファーＳＳＷを除く複数のスピーカーＳによって形成される多角形の重心を聴取位置として算出する。なお、サブウーファーＳＳＷは、指向性がないため、聴取位置の算出には含めない。まず、聴取位置算出部２２は、ＡＶレシーバー１、６つのスピーカーＳをｘｙ座標上にマッピングする。聴取位置算出部２２は、図４に示すように、フロントライトスピーカーＳＦＲをｘｙ座標上の（ｘ，ｙ）＝（０，０）にマッピングする。また、聴取位置算出部２２は、フロントライトスピーカーＳＦＲからの距離が４であるフロントレフトスピーカーＳＦＬを（ｘ，ｙ）＝（４，０）にマッピングする。次に、聴取位置算出部２２は、ＡＶレシーバー１をｘｙ座標上にマッピングする。このため、聴取位置算出部２２は、まず、フロントライトスピーカーＳＦＲとＡＶレシーバー１との距離２√２、フロントレフトスピーカーＳＦＬとＡＶレシーバー１との距離２√２、フロントライトスピーカーＳＦＲのｘｙ座標上の位置（ｘ，ｙ）＝（０，０）、フロントレフトスピーカーＳＦＬのｘｙ座標上の位置（ｘ，ｙ）＝（４，０）、から、ＡＶレシーバー１のｘｙ座標上の候補点を算出する。以下の２式で表される２つの円、すなわち、（ｘ，ｙ）＝（０，０）を中心とする半径２√２の円と（ｘ，ｙ）＝（４，０）を中心とする半径２√２の円の交点がＡＶレシーバー１のｘｙ座標上の候補点となる。
ｘ２＋ｙ２＝８・・・（１）
（ｘ−４）２＋ｙ２＝８・・・（２）
聴取位置算出部２２は、（１），（２）で表される円の交点（ｘ，ｙ）＝（２，２），（２，−２）を候補点１、候補点２として算出する。聴取位置がｘ＞０，ｙ＞０の領域にあると仮定すると、ＡＶレシーバー１とフロントライトスピーカーＳＦＲ、フロントレフトスピーカーＳＦＬとの間が聴取位置となることはないため、聴取位置算出部２２は、ｙ座標の値が負である候補点２（ｘ，ｙ）＝（２，−２）をＡＶレシーバー１のｘｙ座標上の位置として算出する。そして、聴取位置算出部２２は、ＡＶレシーバー１をｘｙ座標上の（ｘ，ｙ）＝（２，−２）にマッピングする。このようにして、聴取位置算出部２２は、フロントレフトスピーカーＳＦＬ及びフロントライトスピーカーＳＦＲの位置と、距離算出部２１が算出したＡＶレシーバー１とフロントレフトスピーカーＳＦＬとの距離と、距離算出部２１が算出したＡＶレシーバー１とのフロントライトスピーカーＳＦＲとの距離と、に基づいて、ＡＶレシーバー１の位置を算出する。
【００３２】
次に、聴取位置算出部２２は、フロントライトスピーカーＳＦＲ、フロントレフトスピーカーＳＦＬ、ＡＶレシーバー１とこれら以外のスピーカーＳとの距離、フロントライトスピーカーＳＦＲ、フロントレフトスピーカーＳＦＬ、ＡＶレシーバー１のｘｙ座標上の位置に基づいて、残りの４つのスピーカーＳの位置を算出し、残り４つのスピーカーＳをｘｙ座標上にマッピングする。聴取位置算出部２２は、ＡＶレシーバー１との距離が短いスピーカーＳから順に、スピーカーＳをｘｙ座標上にマッピングする。
【００３３】
聴取位置算出部２２は、ＡＶレシーバー１との距離が最も短いフロントセンタースピーカーＳＦＣをｘｙ座標上にマッピングするため、フロントライトスピーカーＳＦＲとフロントセンタースピーカーＳＦＣとの距離√５、フロントレフトスピーカーＳＦＬとフロントセンタースピーカーＳＦＣとの距離√５、フロントライトスピーカーＳＦＲのｘｙ座標上の位置（ｘ，ｙ）＝（０，０）、フロントレフトスピーカーＳＦＬのｘｙ座標上の位置（ｘ，ｙ）＝（４，０）、から、フロントセンタースピーカーＳＦＣのｘｙ座標上の候補点を算出する。以下の２式で表される２つの円、すなわち、（ｘ，ｙ）＝（０，０）を中心とする半径√５の円と（ｘ，ｙ）＝（４，０）を中心とする半径√５の円の交点がＡＶレシーバー１のｘｙ座標上の候補点となる。
ｘ２＋ｙ２＝５・・・（３）
（ｘ−４）２＋ｙ２＝５・・・（４）
聴取位置算出部２２は、（３）、（４）で表される円の交点（ｘ，ｙ）＝（２，１）、（２，−１）を候補点１、候補点２として算出する。次に、制御部２は、候補点１、２とＡＶレシーバー１との距離Ｌを以下の式を用いて算出する。ｘ１，ｙ１をＡＶレシーバー１のｘｙ座標の位置、ｘ２，ｙ２を候補点１、２のｘｙ座標上の位置とする。
Ｌ２＝（ｘ１−ｘ２）２＋（ｙ１−ｙ２）２・・・（５）
候補点２の値を式（５）に代入すると、Ｌ２＝（２−２）２＋（−２−（−１））２＝０＋１＝１となり、Ｌ＝１、−１となる。Ｌ≧０であるから、Ｌ＝１である。従って、フロントセンタースピーカーＳＦＣとＡＶレシーバー１との距離１と一致するため、聴取位置算出部２２は、候補点２をフロントセンタースピーカーＳＦＣのｘｙ座標上の位置として算出する。そして、聴取位置算出部２２は、フロントセンタースピーカーＳＦＣをｘｙ座標上の（ｘ，ｙ）＝（２，−１）にマッピングする。
【００３４】
聴取位置算出部２２は、同様にして、残りのサブウーファースピーカーＳＳＷ、サテライトライトスピーカーＳＳＲ、サテライトレフトスピーカーＳＳＬの位置を算出し、ｘｙ座標上にマッピングする。図５は、ｘｙ座標上にマッピングされた６つのスピーカーＳを示す図である。ここで、上述したように、フロントライトスピーカーＳＦＲとフロントレフトスピーカーＳＦＬとについては、フロントライトスピーカーＳＦＲ、フロントレフトスピーカーＳＦＬであることが記憶部３に記憶されているため、決定部２３は、フロントライトスピーカーＳＦＲに送信する音声データをフロントライト音声データ、フロントレフトスピーカーＳＦＬに送信する音声データをフロントレフト音声データに決定することができる。ここまで説明したように、これ以外のスピーカーＳについては、聴取位置算出部２２は、ｘｙ座標上の位置を算出している。そこで、図５においては、フロントライトスピーカーＳＦＲ、フロントレフトスピーカーＳＦＬ以外のスピーカーＳを、スピーカーＳＡ、ＳＢ、ＳＣとしてｘｙ座標上に示している。なお、サブウーファースピーカーＳＳＷは、他のスピーカーＳと機能が異なっているため、決定部２３は、サブウーファースピーカーＳＳＷに送信する音声データを、サブウーファー音声データに決定することができる。このため、図５では、サブウーファースピーカーＳＳＷとしてｘｙ座標上に示している。
【００３５】
聴取位置算出部２２は、ｘｙ座標上で５つのスピーカーＳが多角形の頂点となるよう、５つのスピーカーＳを線分で結ぶ。なお、ｘｙ座標上で点を結び、多角形とすることは、従来技術であるため、詳細な説明は省略する。また、聴取位置算出部２２は、多角形の最大ｘ，ｙ、最小ｘ，ｙの４点の座標を求め、多角形を上下で切り分け傾斜角度により外周を算出する。ここで、聴取位置算出部２２は、外周の頂点の数とスピーカーＳの数とが一致している場合は、配置されているスピーカーＳの位置が問題ないと判断する。
【００３６】
聴取位置算出部２２は、５つのスピーカーＳのｘｙ座標上の位置（ｘ１，ｙ１）〜（ｘ５，ｙ５）から、以下の式を用いて５つのスピーカーＳによって形成される多角形の面積Ａを算出する。なお、五角形であるため、ｎ＝５である。
Ａ＝１／２｜Σ（ｘｉ＋１−ｘｉ）（ｙｉ＋１＋ｙｉ）｜  （ｉ＝１〜ｎ，ｘｎ＋１＝ｘ１，ｙｎ+１＝ｙ１）・・・（６）
次に、聴取位置算出部２２は、算出した面積Ａと５つのスピーカーＳのｘｙ座標上の位置（ｘ１，ｙ１）〜（ｘ５，ｙ５）から、以下の式を用いて５つのスピーカーＳによって形成される多角形の重心（ｘｇ，ｙｇ）を算出する。
ｘｇ＝Σ［｛（ｘｉ＋１３−ｘｉ３）（ｙｉ＋１−ｙｉ）／３＋（ｘｉ＋１２−ｘｉ２）（ｘｉ＋１ｙｉ−ｘｉｙｉ＋１／２）｝／（ｘｉ＋１−ｘｉ）／Ａ  （ｉ＝１〜ｎ，ｘｎ＋１＝ｘ１，ｙｎ+１＝ｙ１）・・・（７）
ｙｇ＝Σ［｛（ｙｉ＋１３−ｙｉ３）（ｘｉ＋１−ｘｉ）／３＋（ｙｉ＋１２−ｙｉ２）（ｘｉｙｉ＋１−ｘｉ＋１ｙｉ／２）｝／（ｙｉ＋１−ｙｉ）／Ａ  （ｉ＝１〜ｎ，ｘｎ＋１＝ｘ１，ｙｎ+１＝ｙ１）
・・・（８）
このようにして、聴取位置算出部２２は、複数のスピーカーＳの位置に基づいて、複数のスピーカーＳによって形成される多角形の重心を聴取位置として算出する。
【００３７】
（決定部２３）
次に、決定部２３による処理について説明する。決定部２３は、スピーカーＳが含まれるｘｙ座標の象限に応じて、スピーカーＳに送信する音声データを決定する。決定部２３は、聴取位置算出部２２が算出した聴取位置（ｘｇ，ｙｇ）を座標の中心（ｘ，ｙ）＝（０，０）とし、図６に示すように、スピーカーＳＡ、ＳＢ、ＳＣを再度マッピングする。これは、決定部２３が、聴取位置算出部２２が算出した聴取位置を含む平面を、聴取位置を中心に９０度ごとに第１象限Ｑ１、第２象限Ｑ２、第３象限Ｑ３、第４象限Ｑ４に分割することと同じである。また、決定部２３は、再度マッピングしたスピーカーＳＡ、ＳＢ、ＳＣがｘｙ座標上の第１象限Ｑ１〜第４象限Ｑ４のうち、どの象限にあるかを判断する。決定部２３は、スピーカーＳＡのｘｙ座標が（ｘ，ｙ）＝（０，−３）であることから、スピーカーＳＡが第４象限Ｑ４にあることを判断する。また、決定部２３は、スピーカーＳＢのｘｙ座標が（ｘ，ｙ）＝（１，２）であることから、スピーカーＳＢが第１象限Ｑ１にあることを判断する。また、決定部２３は、スピーカーＳＣのｘｙ座標が（ｘ，ｙ）＝（−１，２）であることから、スピーカーＳＣが第２象限Ｑ２にあることを判断する。
【００３８】
決定部２３は、スピーカーＳがある象限とスピーカーＳのｘ座標及びｙ座標とから、以下の式を用いて、聴取位置とスピーカーＳとを結ぶ線分と、象限を分割するｘ座標軸と、の角度θｓを算出する（図７参照）。
ｔａｎθ＝｜ｘ／ｙ｜・・・（９）
θｓ＝θ＋（Ｑｘ−１）（π／２）・・・（１０）
ここで、Ｑ１＝１、Ｑ２＝２、Ｑ３＝３、Ｑ４＝４である。
【００３９】
記憶部３には、図８に示すように、チャンネル数とチャンネル数に対応するスピーカーＳとの情報が対応付けて記憶されている。決定部２３は、図８に示すテーブルに基づいて、５つのスピーカーＳとサブウーファースピーカーＳＳＷとを含み、フロントレフトスピーカーＳＦＬ、フロントライトスピーカーＳＦＲ以外のフロントセンタースピーカーＳＦＣ、サラウンドレフトスピーカーＳＳＬ、サラウンドライトスピーカーＳＳＲとして残りのスピーカーＳがアサインされていないことを判断する。
【００４０】
ここで、サラウンドレフトスピーカーＳＳＬは、第１象限Ｑ１、第２象限Ｑ２、第４象限Ｑ４に属する可能性がある。サラウンドライトスピーカーＳＳＲは、第１象限Ｑ１、第２象限Ｑ２、第３象限Ｑ３に属する可能性がある。フロントセンタースピーカーＳＦＣは、第３象限Ｑ３、第４象限Ｑ４に属する可能性がある。このように、１つの象限Ｑに複数のスピーカーＳが属する可能性がある。このため、図９に示すように、各象限Ｑに含まれるスピーカーＳに送信する音声データの優先度を設定しておき、その優先度を記憶部３に記憶しておく。なお、値が大きいほど、優先度が高い。例えば、第１象限Ｑ１にスピーカーＳが含まれる場合、優先度が「２」であるサラウンドレフト音声データの優先度が最も高い。このため、決定部２３は、第１象限Ｑ１に含まれるスピーカーＳに送信する音声データを、サラウンドレフト音声データに決定する。すなわち、決定部２３は、第１象限Ｑ１に含まれるスピーカーＳをサラウンドレフトスピーカーＳＳＬとしてアサインする。
【００４１】
決定部２３は、図１０に示すように、角度θｓが小さいスピーカーＳから順に、送信する音声データを決定する。まず、決定部２３は、角度θＢのスピーカーＳＢに送信する音声データを決定する。決定部２３は、上述のように、スピーカーＳＢが第１象限Ｑ１にあると判断している。そして、決定部２３は、図９に示す優先度に基づいて、スピーカーＳＢに送信する音声データを、サラウンドレフト音声データに決定する。すなわち、決定部２３は、スピーカーＳＢをサラウンドレフトスピーカーＳＳＬとしてアサインする。
【００４２】
次に、決定部２３は、角度θＣのスピーカーＳＣに送信する音声データを決定する。決定部２３は、上述のように、スピーカーＳＣが第２象限Ｑ２にあると判断している。そして、決定部２３は、図９に示す優先度に基づいて、スピーカーＳＣに送信する音声データを、サラウンドライト音声データに決定する。すなわち、決定部２３は、スピーカーＳＣをサラウンドライトスピーカーＳＳＲとしてアサインする。
【００４３】
次に、決定部２３は、角度θＡのスピーカーＳＡに送信する音声データを決定する。決定部２３は、上述のように、スピーカーＳＡが第４象限Ｑ４にあると判断している。そして、決定部２３は、図９に示す優先度に基づいて、スピーカーＳＡに送信する音声データを、フロントセンター音声データに決定する。すなわち、決定部２３は、スピーカーＳＡをフロントセンタースピーカーＳＦＣとしてアサインする。
【００４４】
ここで、図１１に示すように、スピーカーＳＢとスピーカーＳＣとが第１象限に含まれていたとする。まず、決定部２３は、角度θｃよりも角度θＢが小さいスピーカーＳＢに送信する音声データを決定する。決定部２３は、スピーカーＳＢのｘｙ座標の位置から、スピーカーＳＢが第１象限Ｑ１にあると判断する。そして、決定部２３は、図９に示す優先度に基づいて、スピーカーＳＢに送信する音声データを、優先度が最も高いサラウンドレフト音声データに決定する。すなわち、決定部２３は、スピーカーＳＢをサラウンドレフトスピーカーＳＳＬとしてアサインする。次に、決定部２３は、スピーカーＳＣに送信する音声データを決定する。決定部２３は、スピーカーＳＣのｘｙ座標の位置から、スピーカーＳＣが第１象限Ｑ１にあると判断する。そして、決定部２３は、図９に示す優先度に基づいて、スピーカーＳＣに送信する音声データを、サラウンドレフト音声データの次に優先度が高いサラウンドライト音声データに決定する。すなわち、決定部２３は、スピーカーＳＣをサラウンドライトスピーカーＳＳＲとしてアサインする。
【００４５】
以下、決定部２３によるスピーカーＳに送信する音声データを決定する処理を、図１２に示すフローチャートに基づいて説明する。決定部２３は、図８に示すテーブルから、スピーカーＳに送信するマルチチャンネルの音声データの候補を取得する（Ｓ１）。例えば、上述のように、６つのスピーカーＳである場合、決定部２３は、５．１チャンネルの音声データを、スピーカーＳに送信するマルチチャンネルの音声データの候補として取得する。次に、決定部２３は、各象限Ｑで送信する音声データを決定するスピーカーＳの順序を決定する（Ｓ２）。上述のように、決定部２３は、角度θＳの小さいスピーカーＳから順に、送信する音声データを決定する。
【００４６】
次に、決定部２３は、１つの象限Ｑ内で送信する音声データを決定していないスピーカーＳがあるか否かを判断する（Ｓ３）。決定部２３は、１つの象限Ｑ内で送信する音声データを決定していないスピーカーＳがあると判断した場合（Ｓ３：Ｙｅｓ）、図９に示す優先度が残っているか否かを判断する（Ｓ４）。例えば、第１象限Ｑ１において、３つのスピーカーＳに送信するデータがサラウンドレフト音声データ、サラウンドライト音声データ、フロントセンター音声データに決定され、優先度が残っていないにもかかわらず、送信する音声データを決定する必要があるスピーカーＳがある場合、例えば、聴取位置の算出に誤りがある。このため、決定部２３は、図９に示す優先度が残っていないと判断した場合（Ｓ４：Ｎｏ）、送信する音声データを決定できなかったエラーと判断する（Ｓ５）。決定部２３は、図９に示す優先度が残っていると判断した場合（Ｓ４：Ｙｅｓ）、象限Ｑ内の最も優先度の高い未決定の音声データを、スピーカーＳに送信する音声データに決定する（Ｓ６）。
【００４７】
次に、決定部２３は、１つの象限Ｑ内で送信する音声データを決定していないスピーカーＳがあるか否かを判断する（Ｓ３）。決定部２３は、１つの象限Ｑ内で送信する音声データを決定していないスピーカーＳがないと判断した場合（Ｓ３：Ｎｏ）、又は、Ｓ５の処理の後、現在、スピーカーＳに送信する音声データを決定する処理を行っている象限Ｑが、第４象限Ｑ４であるか否かを判断する（Ｓ７）。決定部２３は、第４象限Ｑ４でないと判断した場合（Ｓ７：Ｎｏ）、次の象限ＱでＳ３〜Ｓ７の処理を行う。決定部２３は、第４象限Ｑ４であると判断した場合（Ｓ７：Ｙｅｓ）、処理を終了する。
【００４８】
以上説明したように、本実施形態では、聴取位置を含む平面を、聴取位置を中心に９０度ごとに第１象限Ｑ１、第２象限Ｑ２、第３象限Ｑ３、第４象限Ｑ４に分割し、スピーカーＳが含まれる象限Ｑに応じて、スピーカーＳに送信する音声データを決定する。例えば、第１象限Ｑ１に含まれているスピーカーＳに送信する音声データを、サラウンドレフト音声データに決定する。すなわち、第１象限Ｑ１に含まれているスピーカーＳをサラウンドレフトスピーカーＳＳＬとしてアサインする。また、第２象限Ｑ２に含まれているスピーカーＳに送信する音声データを、サラウンドライト音声データに決定する。すなわち、第２象限Ｑ２に含まれているスピーカーＳをサラウンドライトスピーカーＳＳＲとしてアサインする。また、第４象限Ｑ４に含まれているスピーカーＳに送信する音声データを、フロントセンター音声データに決定する。すなわち、第４象限Ｑ４に含まれているスピーカーＳをフロントセンタースピーカーＳＦＣとしてアサインする。このようにして、本実施形態によれば、複数のスピーカーＳをマルチチャンネルの音声データのいずれかを再生するスピーカーＳとしてアサインすることができる。
【００４９】
また、本実施形態では、１つの象限ＱにスピーカーＳが複数含まれている場合、聴取位置とスピーカーＳとを結ぶ線分と、象限を分割するｘ座標軸と、の角度θＳに応じて、スピーカーＳに送信する音声データを決定する。例えば、図１１に示すように、第１象限Ｑ１に２つのスピーカーＳが含まれているとする。この場合、聴取位置とスピーカーＳＢとを結ぶ線分と、象限を分割するｘ座標軸と、の角度θＢが小さい方のスピーカーに送信する音声データを、サラウンドレフト音声データに決定する。また、角度θＣが大きい方のスピーカーＳＣに送信する音声データを、サラウンドライト音声データに決定する。このようにして、本発明によれば、１つの象限ＱにスピーカーＳが複数含まれていても、複数のスピーカーＳをマルチチャンネルの音声データのいずれかを再生するスピーカーＳとしてアサインすることができる。
【００５０】
また、本実施形態では、１つの象限ＱにスピーカーＳが複数含まれている場合、聴取位置とスピーカーＳとを結ぶ線分と、象限を分割するｘ座標軸と、の角度θＳと、象限Ｑに含まれるスピーカーＳに送信する音声データの優先度（図９参照）と、に基づいて、スピーカーＳに送信する音声データを決定する。例えば、図１１に示すように、第１象限Ｑ１に２つのスピーカーＳが含まれているとする。この場合、聴取位置とスピーカーＳとを結ぶ線分と、象限を分割するｘ座標軸と、の角度θＢが小さい方のスピーカーに送信する音声データとして、サラウンドライト音声データの優先度よりもサラウンドレフト音声データの優先度を高く設定する。そうすると、角度θＢが小さい方のスピーカーＳＢに送信する音声データがサラウンドレフト音声データに決定される。また、角度θＣが大きい方のスピーカーＳＣに送信する音声データがサラウンドライト音声データに決定される。このようにして、本発明によれば、１つの象限ＱにスピーカーＳが複数含まれていても、複数のスピーカーＳをマルチチャンネルの音声データのいずれかを再生するスピーカーＳとしてアサインすることができる。
【００５１】
また、本実施形態では、算出したＡＶレシーバー１と複数のスピーカーＳそれぞれとの距離の数と等しい複数のスピーカーＳの個数に応じたマルチチャンネルの音声データをスピーカーＳに送信することを決定する。例えば、前記距離の数と等しいスピーカーＳの個数が６個であれば、５．１チャンネルの音声データをスピーカーＳに送信することを決定する。このようにして、本発明によれば、スピーカーＳに送信するマルチチャンネルの音声データのチャンネル数を決定し、複数のスピーカーＳをマルチチャンネルの音声データのいずれかを再生するスピーカーＳとしてアサインすることができる。
【００５２】
また、本実施形態では、スピーカーＳ間の距離等を算出し、算出したスピーカーＳ間の距離等から、フロントレフトスピーカーＳＦＬ及びフロントライトスピーカーＳＦＲを除く複数のスピーカーＳそれぞれの位置を算出する。従って、フロントレフトスピーカーＳＦＬ及びフロントライトスピーカーＳＦＲを除く複数のスピーカーＳについては、ＡＶレシーバー１が位置を把握していなくても、位置を算出し、それらに基づいて、聴取位置を算出することができる。
【００５３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５４】
上述の実施形態においては、複数のスピーカーＳは、６つであり、５．１チャンネルのマルチチャンネルスピーカーシステムを構成している場合を例示した。スピーカーＳの数は、上述の実施形態に限られない。例えば、複数のスピーカーは、８つであり、７．１チャンネルのマルチスピーカーシステムを構成していてもよい。この場合、上述の実施形態から追加されるサラウンドバックレフトスピーカー、サラウンドバックライトスピーカーについても、含まれる象限に応じて、送信する音声データを決定すればよい。例えば、図９に示す優先度に、サラウンドバックレフト音声データ、サラウンドバックライト音声データを追加し、優先度に基づいて、サラウンドバックレフトスピーカー、サラウンドバックライトスピーカーとしてアサインするようにしてもよい。
【００５５】
上述の実施形態においては、音声の到達時間に基づいて、２つのスピーカーＳ間の距離等を算出するようになっている。これに限らず、例えば、発光素子及び受光素子を用いて、光の到達時間を計測し、計測した光の到達時間に基づいて、２つのスピーカーＳ間の距離等を算出するようになっていてもよい。
【００５６】
上述の実施形態においては、記憶部３に記憶されているスピーカーアサインプログラム３１により、ＡＶレシーバー１をスピーカーアサイン装置として機能させる場合について説明した。これに限らず、スピーカーアサイン装置として機能させる機器として、ＡＶレシーバー以外の音響機器、映像機器、パーソナルコンピューター等であってもよい。
【産業上の利用可能性】
【００５７】
本発明は、複数のスピーカーをマルチチャンネルの音声データのいずれかを再生するスピーカーとしてアサインする装置に好適に採用され得る。
【符号の説明】
【００５８】
１  ＡＶレシーバー（スピーカーアサイン装置）
２  制御部
３  記憶部
７  通信部
８  マイク
２１  距離算出部
２２  聴取位置算出部
２３  決定部
３１  スピーカーアサインプログラム
Ｓ  スピーカー
【図１】
2015122612.tif 000003
【図２】
2015122612.tif 000004
【図３】
2015122612.tif 000005
【図４】
2015122612.tif 000006
【図５】
2015122612.tif 000007
【図６】
2015122612.tif 000008
【図７】
2015122612.tif 000009
【図８】
2015122612.tif 000010
【図９】
2015122612.tif 000011
【図１０】
2015122612.tif 000012
【図１１】
2015122612.tif 000013
【図１２】
2015122612.tif 000014
【図１３】
2015122612.tif 000015